【手続補正書】
【提出日】平成16年5月7日(2004.5.7)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】特許請求の範囲
【補正方法】変更
【補正の内容】
【特許請求の範囲】
【請求項１】
開閉可能なフラップを備えた電子機器であって、
電子機器本体に設けられ、前記フラップが開状態の時には記録媒体の挿入及び排出が可能とされ、かつ前記フラップが閉状態の時には前記記録媒体の挿入及び排出が不可能とされる位置に設けられた記録媒体挿入口と、
前記記録媒体挿入口から挿入された記録媒体を前記電子機器本体内に搬入し、かつ前記電子機器本体内にある記録媒体をその一部が前記電子機器本体から突出する排出位置まで排出するローディング手段と、
前記ローディング手段の動作、及び前記フラップの開閉動作を制御する制御手段と、
前記排出位置近傍に設けられ、前記記録媒体の有無を検知する検知手段と、を備え、
前記制御手段は、前記フラップの閉動作を行なわせる際には、前記ローディング手段に搬入動作をさせた後前記検知手段の検知結果に応じて前記フラップの閉動作を開始させるか否かを決定することを特徴とする電子機器。
【請求項２】
前記制御手段は、前記ローディング手段の搬入動作により前記検知手段による記録媒体の検知がなされなかった場合には、前記フラップの閉動作を開始させることを特徴とする請求項１に記載の電子機器。
【請求項３】
前記制御手段は、前記ローディング手段の搬入動作により前記検知手段による記録媒体の検知がなされた場合には、前記フラップの閉動作を開始させないことを特徴とする請求項１に記載の電子機器。
【請求項４】
前記制御手段は、前記ローディング手段の搬入動作により前記検知手段による記録媒体の検知がなされた場合には、ローディング手段による搬入動作を継続させるとともに記録媒体がフラップの閉動作に支障のない位置に至った後、前記フラップの閉動作を開始させることを特徴とする請求項１に記載の電子機器。
【請求項５】
前記検知手段は、前記記録媒体の通過領域上において、前記記録媒体が前記排出位置に位置するときに前記検知手段の検知領域から外れる位置に設けられていることを特徴とする請求項１乃至４のいずれか一に記載の電子機器。
【請求項６】
前記ローディング手段の搬入動作の時間は、前記排出位置にある記録媒体が前記搬入動作により前記検知手段の検知領域内に移動する時間に設定されていることを特徴とする請求項１乃至５のいずれか一に記載の電子機器。
【請求項７】
開閉可能なフラップを備えた電子機器であって、
電子機器本体に設けられ、前記フラップが開状態の時には小径の記録媒体及び大径の記録媒体の挿入及び排出が可能とされ、かつ前記フラップが閉状態の時には前記両記録媒体の挿入及び排出が不可能とされる位置に設けられた記録媒体挿入口と、
前記記録媒体挿入口から挿入された記録媒体を前記電子機器本体内に搬入し、かつ前記電子機器本体内にある記録媒体をその一部が前記電子機器本体から突出する排出位置まで排出するローディング手段と、
前記ローディング手段の動作、及び前記フラップの開閉動作を制御する制御手段と、
前記小径の記録媒体が前記排出位置に至る前の通過領域上に設けられ、かつ前記大径の記録媒体が前記排出位置に位置するときにその大径の記録媒体の有無を検知する位置に設けられた第1検知手段と、を備え、
前記制御手段は、前記フラップの閉動作を行なわせる際に、前記第1検知手段による記録媒体の検知がなされていない場合は、前記ローディング手段に搬入動作をさせた後前記第1検知手段の検知結果に応じて前記フラップの閉動作を開始させるか否かを決定し、前記第1検知手段による記録媒体の検知がなされていた場合は、前記フラップの閉動作を行なわせないか又は前記ローディング手段を搬入方向に駆動させることを特徴とする電子機器。
【請求項８】
前記制御手段は、前記ローディング手段の搬入動作により前記第1検知手段による記録媒体の検知がなされなかった場合には、前記フラップの閉動作を開始させることを特徴とする請求項７に記載の電子機器。
【請求項９】
前記制御手段は、前記ローディング手段の搬入動作により前記第1検知手段による記録媒体の検知がなされた場合には、前記フラップの閉動作を開始させないことを特徴とする請求項７に記載の電子機器。
【請求項１０】
前記制御手段は、前記ローディング手段の搬入動作により前記第1検知手段による記録媒体の検知がなされた場合には、前記ローディング手段による搬入動作を継続させるとともに、前記記録媒体が前記フラップの閉動作に支障のない位置に至った後、前記フラップの閉動作を開始させることを特徴とする請求項７に記載の電子機器。
【請求項１１】
前記第1検知手段は、前記小径の記録媒体が前記排出位置に位置するときに、前記第1検知手段の検知領域から外れる位置に設けられていることを特徴とする請求項７乃至１０のいずれか一に記載の電子機器。
【請求項１２】
前記ローディング手段の搬入動作の時間は、前記排出位置にある記録媒体が前記搬入動作により前記第1検知手段の検知領域内に移動する時間に設定されていることを特徴とする請求項７乃至１１のいずれか一に記載の電子機器。
【請求項１３】
開閉可能なフラップを備えた電子機器であって、
電子機器本体に設けられ、前記フラップが開状態の時には小径の記録媒体及び大径の記録媒体の挿入及び排出が可能とされ、かつ前記フラップが閉状態の時には前記両記録媒体の挿入及び排出が不可能とされる位置に設けられた記録媒体挿入口と、
前記記録媒体挿入口から挿入された記録媒体を前記電子機器本体内に搬入し、かつ前記電子機器本体内にある記録媒体をその一部が前記電子機器本体から突出する排出位置まで排出するローディング手段と、
前記ローディング手段の動作、及び前記フラップの開閉動作を制御する制御手段と、
前記記録媒体の通過領域に突出し記録媒体周縁と当接する一対の当接部が前記記録媒体挿入口近傍において間隔を配して形成され、前記記録媒体の挿入動作により前記記録媒体の記録面に平行な面内において開動作可能に設けられた一対のセンタリング手段と、
前記一対の当接部の所定距離の離間を検知する検知機構と、を備え、
前記制御手段は、前記フラップの閉動作を行なわせる際には、前記ローディング手段に搬入動作をさせた後前記検知機構の検知結果に応じて前記フラップの閉動作を開始させるか否かを決定することを特徴とする電子機器。
【請求項１４】
前記制御手段は、前記ローディング手段の搬入動作により前記検知機構による検知がなされない場合には、前記フラップの閉動作を開始させることを特徴とする請求項１３に記載の電子機器。
【請求項１５】
前記制御手段は、前記ローディング手段の搬入動作により前記検知機構による検知がなされた場合には、前記フラップの閉動作を開始させないことを特徴とする請求項１３に記載の電子機器。
【請求項１６】
前記制御手段は、前記ローディング手段の搬入動作により前記検知機構による検知がなされた場合には、前記ローディング手段による搬入動作を継続させるとともに、前記記録媒体が前記フラップの閉動作に支障のない位置に至った後、前記フラップの閉動作を開始させることを特徴とする請求項１３に記載の電子機器。
【請求項１７】
前記検知機構は、前記記録媒体が前記排出位置に位置するときに前記一対の当接部の所定距離の離間の検知がなされない位置に設けられていることを特徴とする請求項１３乃至１６のいずれか一に記載の電子機器。
【請求項１８】
前記ローディング手段の搬入動作の時間は、前記排出位置にある記録媒体が前記搬入動作によって前記一対の当接部の所定距離の離間の検知がなされる時間に設定されていることを特徴とする請求項１３乃至１７のいずれか一に記載の電子機器。
【請求項１９】
開閉可能なフラップを備えた電子機器であって、
電子機器本体に設けられ、前記フラップが開状態の時には小径の記録媒体及び大径の記録媒体の挿入及び排出が可能とされ、かつ前記フラップが閉状態の時には前記両記録媒体の挿入及び排出が不可能とされる位置に設けられた記録媒体挿入口と、
前記記録媒体挿入口から挿入された記録媒体を前記電子機器本体内に搬入し、かつ前記電子機器本体内にある記録媒体をその一部が前記電子機器本体から突出する排出位置まで排出するローディング手段と、
前記ローディング手段の動作、及び前記フラップの開閉動作を制御する制御手段と、
前記記録媒体の通過領域に突出し記録媒体周縁と当接する一対の当接部が前記記録媒体挿入口近傍において間隔を配して形成され、前記記録媒体の挿入動作により前記記録媒体の記録面に平行な面内において開動作可能に設けられた一対のセンタリング手段と、
前記一対の当接部の第1の距離の離間を検知する第1検知機構と、を備え、
前記制御手段は、前記フラップの閉動作を行なわせる際に、前記第1検知機構による検知がなされていない場合は、前記ローディング手段に搬入動作をさせた後前記第1検知機構の検知結果に応じて前記フラップの閉動作を開始させるか否かを決定し、前記第1検知機構による検知がなされていた場合は、前記フラップの閉動作を行なわせないか又は前記ローディング手段を搬入方向に駆動させることを特徴とする電子機器。
【請求項２０】
前記制御手段は、前記ローディング手段の搬入動作により前記第1検知機構による検知がなされなかった場合には、前記フラップの閉動作を開始させることを特徴とする請求項１９に記載の電子機器。
【請求項２１】
前記制御手段は、前記ローディング手段の搬入動作により前記第1検知機構による検知がなされた場合には、前記フラップの閉動作を開始させないことを特徴とする請求項１９に記載の電子機器。
【請求項２２】
前記制御手段は、前記ローディング手段の搬入動作により前記第1検知機構による検知がなされた場合には、前記ローディング手段による搬入動作を継続させるとともに、前記記録媒体が前記フラップの閉動作に支障のない位置に至った後、前記フラップの閉動作を開始させることを特徴とする請求項１９に記載の電子機器。
【請求項２３】
前記第1検知機構は、前記記録媒体が前記排出位置に位置するときに前記一対の当接部の第1の距離の離間の検知がなされない位置に設けられていることを特徴とする請求項１９乃至２２のいずれか一に記載の電子機器。
【請求項２４】
前記ローディング手段の搬入動作の時間は、前記排出位置にある記録媒体が前記搬入動作によって前記一対の当接部の前記第1の距離の離間の検知がなされる時間に設定されていることを特徴とする請求項１９乃至２３のいずれか一に記載の電子機器。
【手続補正３】
【補正対象書類名】明細書
【補正対象項目名】００１８
【補正方法】変更
【補正の内容】
【００１８】
【課題を解決するための手段】
請求項１記載の発明は、開閉可能なフラップを備えた電子機器であって、電子機器本体に設けられ、前記フラップが開状態の時には記録媒体の挿入及び排出が可能とされ、かつ前記フラップが閉状態の時には前記記録媒体の挿入及び排出が不可能とされる位置に設けられた記録媒体挿入口と、前記記録媒体挿入口から挿入された記録媒体を前記電子機器本体内に搬入し、かつ前記電子機器本体内にある記録媒体をその一部が前記電子機器本体から突出する排出位置まで排出するローディング手段と、前記ローディング手段の動作、及び前記フラップの開閉動作を制御する制御手段と、前記排出位置近傍に設けられ、前記記録媒体の有無を検知する検知手段と、を備え、前記制御手段は、前記フラップの閉動作を行なわせる際には、前記ローディング手段に搬入動作をさせた後前記検知手段の検知結果に応じて前記フラップの閉動作を開始させるか否かを決定することを特徴とする。
【手続補正４】
【補正対象書類名】明細書
【補正対象項目名】００１９
【補正方法】変更
【補正の内容】
【００１９】
又、請求項２記載の発明は、請求項１に記載の電子機器において、前記制御手段は、前記ローディング手段の搬入動作により前記検知手段による記録媒体の検知がなされなかった場合には、前記フラップの閉動作を開始させることを特徴とする。
【手続補正５】
【補正対象書類名】明細書
【補正対象項目名】００２０
【補正方法】変更
【補正の内容】
【００２０】
又、請求項３記載の発明は、請求項１に記載の電子機器において、前記制御手段は、前記ローディング手段の搬入動作により前記検知手段による記録媒体の検知がなされた場合には、前記フラップの閉動作を開始させないことを特徴とする。
【手続補正６】
【補正対象書類名】明細書
【補正対象項目名】００２１
【補正方法】変更
【補正の内容】
【００２１】
又、請求項４記載の発明は、請求項１に記載の電子機器において、前記制御手段は、前記ローディング手段の搬入動作により前記検知手段による記録媒体の検知がなされた場合には、ローディング手段による搬入動作を継続させるとともに記録媒体がフラップの閉動作に支障のない位置に至った後、前記フラップの閉動作を開始させることを特徴とする。
【手続補正７】
【補正対象書類名】明細書
【補正対象項目名】００２２
【補正方法】変更
【補正の内容】
【００２２】
又、請求項５記載の発明は、請求項１乃至４のいずれか一に記載の電子機器において、前記検知手段は、前記記録媒体の通過領域上において、前記記録媒体が前記排出位置に位置するときに前記検知手段の検知領域から外れる位置に設けられていることを特徴とする。
【手続補正８】
【補正対象書類名】明細書
【補正対象項目名】００２３
【補正方法】変更
【補正の内容】
【００２３】
又、請求項６記載の発明は、請求項１乃至５のいずれか一に記載の電子機器において、
前記ローディング手段の搬入動作の時間は、前記排出位置にある記録媒体が前記搬入動作により前記検知手段の検知領域内に移動する時間に設定されていることを特徴とする。
【手続補正９】
【補正対象書類名】明細書
【補正対象項目名】００２４
【補正方法】変更
【補正の内容】
【００２４】
又、請求項７記載の発明は、開閉可能なフラップを備えた電子機器であって、電子機器本体に設けられ、前記フラップが開状態の時には小径の記録媒体及び大径の記録媒体の挿入及び排出が可能とされ、かつ前記フラップが閉状態の時には前記両記録媒体の挿入及び排出が不可能とされる位置に設けられた記録媒体挿入口と、前記記録媒体挿入口から挿入された記録媒体を前記電子機器本体内に搬入し、かつ前記電子機器本体内にある記録媒体をその一部が前記電子機器本体から突出する排出位置まで排出するローディング手段と、前記ローディング手段の動作、及び前記フラップの開閉動作を制御する制御手段と、前記小径の記録媒体が前記排出位置に至る前の通過領域上に設けられ、かつ前記大径の記録媒体が前記排出位置に位置するときにその大径の記録媒体の有無を検知する位置に設けられた第1検知手段と、を備え、前記制御手段は、前記フラップの閉動作を行なわせる際に、前記第1検知手段による記録媒体の検知がなされていない場合は、前記ローディング手段に搬入動作をさせた後前記第1検知手段の検知結果に応じて前記フラップの閉動作を開始させるか否かを決定し、前記第1検知手段による記録媒体の検知がなされていた場合は、前記フラップの閉動作を行なわせないか又は前記ローディング手段を搬入方向に駆動させることを特徴とする。
【手続補正１０】
【補正対象書類名】明細書
【補正対象項目名】００２５
【補正方法】変更
【補正の内容】
【００２５】
又、請求項８記載の発明は、請求項７に記載の電子機器において、前記制御手段は、前記ローディング手段の搬入動作により前記第1検知手段による記録媒体の検知がなされなかった場合には、前記フラップの閉動作を開始させることを特徴とする。
【手続補正１１】
【補正対象書類名】明細書
【補正対象項目名】００２６
【補正方法】変更
【補正の内容】
【００２６】
又、請求項９記載の発明は、請求項７に記載の電子機器において、前記制御手段は、前記ローディング手段の搬入動作により前記第1検知手段による記録媒体の検知がなされた場合には、前記フラップの閉動作を開始させないことを特徴とする。
【手続補正１２】
【補正対象書類名】明細書
【補正対象項目名】００２７
【補正方法】変更
【補正の内容】
【００２７】
又、請求項１０記載の発明は、請求項７に記載の電子機器において、前記制御手段は、前記ローディング手段の搬入動作により前記第1検知手段による記録媒体の検知がなされた場合には、前記ローディング手段による搬入動作を継続させるとともに、前記記録媒体が前記フラップの閉動作に支障のない位置に至った後、前記フラップの閉動作を開始させることを特徴とする。
【手続補正１３】
【補正対象書類名】明細書
【補正対象項目名】００２８
【補正方法】変更
【補正の内容】
【００２８】
又、請求項１１記載の発明は、請求項７乃至１０のいずれか一に記載の電子機器において、前記第1検知手段は、前記小径の記録媒体が前記排出位置に位置するときに、前記第1検知手段の検知領域から外れる位置に設けられていることを特徴とする。
【手続補正１４】
【補正対象書類名】明細書
【補正対象項目名】００２９
【補正方法】変更
【補正の内容】
【００２９】
又、請求項１２記載の発明は、請求項７乃至１１のいずれか一に記載の電子機器において、前記ローディング手段の搬入動作の時間は、前記排出位置にある記録媒体が前記搬入動作により前記第1検知手段の検知領域内に移動する時間に設定されていることを特徴とする。
【手続補正１５】
【補正対象書類名】明細書
【補正対象項目名】００３０
【補正方法】変更
【補正の内容】
【００３０】
又、請求項１３記載の電子機器は、開閉可能なフラップを備えた電子機器であって、  電子機器本体に設けられ、前記フラップが開状態の時には小径の記録媒体及び大径の記録媒体の挿入及び排出が可能とされ、かつ前記フラップが閉状態の時には前記両記録媒体の挿入及び排出が不可能とされる位置に設けられた記録媒体挿入口と、前記記録媒体挿入口から挿入された記録媒体を前記電子機器本体内に搬入し、かつ前記電子機器本体内にある記録媒体をその一部が前記電子機器本体から突出する排出位置まで排出するローディング手段と、前記ローディング手段の動作、及び前記フラップの開閉動作を制御する制御手段と、前記記録媒体の通過領域に突出し記録媒体周縁と当接する一対の当接部が前記記録媒体挿入口近傍において間隔を配して形成され、前記記録媒体の挿入動作により前記記録媒体の記録面に平行な面内において開動作可能に設けられた一対のセンタリング手段と、前記一対の当接部の所定距離の離間を検知する検知機構と、を備え、前記制御手段は、前記フラップの閉動作を行なわせる際には、前記ローディング手段に搬入動作をさせた後前記検知機構の検知結果に応じて前記フラップの閉動作を開始させるか否かを決定することを特徴とする。
【手続補正１６】
【補正対象書類名】明細書
【補正対象項目名】００３１
【補正方法】変更
【補正の内容】
【００３１】
又、請求項１４記載の電子機器は、請求項１３に記載の電子機器において、前記制御手段は、前記ローディング手段の搬入動作により前記検知機構による検知がなされない場合には、前記フラップの閉動作を開始させることを特徴とする。
【手続補正１７】
【補正対象書類名】明細書
【補正対象項目名】００３２
【補正方法】変更
【補正の内容】
【００３２】
又、請求項１５記載の発明は、請求項１３に記載の電子機器において、前記制御手段は、前記ローディング手段の搬入動作により前記検知機構による検知がなされた場合には、前記フラップの閉動作を開始させないことを特徴とする。
【手続補正１８】
【補正対象書類名】明細書
【補正対象項目名】００３３
【補正方法】変更
【補正の内容】
【００３３】
又、請求項１６記載の発明は、請求項１３に記載の電子機器において、前記制御手段は、前記ローディング手段の搬入動作により前記検知機構による検知がなされた場合には、前記ローディング手段による搬入動作を継続させるとともに、前記記録媒体が前記フラップの閉動作に支障のない位置に至った後、前記フラップの閉動作を開始させることを特徴とする。
【手続補正１９】
【補正対象書類名】明細書
【補正対象項目名】００３４
【補正方法】変更
【補正の内容】
【００３４】
又、請求項１７記載の発明は、請求項１３乃至１６のいずれか一に記載の電子機器において、前記検知機構は、前記記録媒体が前記排出位置に位置するときに前記一対の当接部の所定距離の離間の検知がなされない位置に設けられていることを特徴とする。又、請求項１８記載の発明は、請求項１３乃至１７のいずれか一に記載の電子機器において、前記ローディング手段の搬入動作の時間は、前記排出位置にある記録媒体が前記搬入動作によって前記一対の当接部の所定距離の離間の検知がなされる時間に設定されていることを特徴とする。
【手続補正２０】
【補正対象書類名】明細書
【補正対象項目名】００３５
【補正方法】変更
【補正の内容】
【００３５】
又、請求項１９記載の発明は、開閉可能なフラップを備えた電子機器であって、電子機器本体に設けられ、前記フラップが開状態の時には小径の記録媒体及び大径の記録媒体の挿入及び排出が可能とされ、かつ前記フラップが閉状態の時には前記両記録媒体の挿入及び排出が不可能とされる位置に設けられた記録媒体挿入口と、前記記録媒体挿入口から挿入された記録媒体を前記電子機器本体内に搬入し、かつ前記電子機器本体内にある記録媒体をその一部が前記電子機器本体から突出する排出位置まで排出するローディング手段と、前記ローディング手段の動作、及び前記フラップの開閉動作を制御する制御手段と、前記記録媒体の通過領域に突出し記録媒体周縁と当接する一対の当接部が前記記録媒体挿入口近傍において間隔を配して形成され、前記記録媒体の挿入動作により前記記録媒体の記録面に平行な面内において開動作可能に設けられた一対のセンタリング手段と、前記一対の当接部の第1の距離の離間を検知する第1検知機構と、を備え、前記制御手段は、前記フラップの閉動作を行なわせる際に、前記第1検知機構による検知がなされていない場合は、前記ローディング手段に搬入動作をさせた後前記第1検知機構の検知結果に応じて前記フラップの閉動作を開始させるか否かを決定し、前記第1検知機構による検知がなされていた場合は、前記フラップの閉動作を行なわせないか又は前記ローディング手段を搬入方向に駆動させることを特徴とする。
【手続補正２１】
【補正対象書類名】明細書
【補正対象項目名】００３６
【補正方法】変更
【補正の内容】
【００３６】
又、請求項２０記載の発明は、請求項１９に記載の電子機器において、前記制御手段は、前記ローディング手段の搬入動作により前記第1検知機構による検知がなされなかった場合には、前記フラップの閉動作を開始させることを特徴とする。
【手続補正２２】
【補正対象書類名】明細書
【補正対象項目名】００３７
【補正方法】変更
【補正の内容】
【００３７】
又、請求項２１記載の発明は、請求項１９に記載の電子機器において、前記制御手段は、前記ローディング手段の搬入動作により前記第1検知機構による検知がなされた場合には、前記フラップの閉動作を開始させないことを特徴とする。
【手続補正２３】
【補正対象書類名】明細書
【補正対象項目名】００３８
【補正方法】変更
【補正の内容】
【００３８】
又、請求項２２記載の発明は、請求項１９に記載の電子機器において、前記制御手段は、前記ローディング手段の搬入動作により前記第1検知機構による検知がなされた場合には、前記ローディング手段による搬入動作を継続させるとともに、前記記録媒体が前記フラップの閉動作に支障のない位置に至った後、前記フラップの閉動作を開始させることを特徴とする。
【手続補正２４】
【補正対象書類名】明細書
【補正対象項目名】００３９
【補正方法】変更
【補正の内容】
【００３９】
又、請求項２３記載の発明は、請求項１９乃至２２のいずれか一に記載の電子機器において、前記第1検知機構は、前記記録媒体が前記排出位置に位置するときに前記一対の当接部の第1の距離の離間の検知がなされない位置に設けられていることを特徴とする。
【手続補正２５】
【補正対象書類名】明細書
【補正対象項目名】００４０
【補正方法】変更
【補正の内容】
【００４０】
又、請求項２４記載の発明は、請求項１９乃至２３のいずれか一に記載の電子機器において、前記ローディング手段の搬入動作の時間は、前記排出位置にある記録媒体が前記搬入動作によって前記一対の当接部の前記第1の距離の離間の検知がなされる時間に設定されていることを特徴とする。